(57)【特許請求の範囲】
【請求項１】
上框、下框、第１縦框、第２縦框、縦中骨で第１開口枠部と第２開口枠部を有した建具本体とし、その第１開口枠部にパネルを取り付け、前記第２開口枠部の面外方向一側寄りに板状の覆体を取り付けて縦中骨との間に換気用開口部を形成し、
前記第２開口枠部の面外方向他側寄りに板状の遮蔽体を、縦中骨に接することで換気用開口部を閉じる閉じ位置と、該遮蔽体を縦中骨から離隔することで換気用開口部を開放する開き位置とに亘って面内方向に移動可能に取り付け、
前記遮蔽体の上部寄りに複数の上戸車を取り付けると共に、下部寄りに複数の下戸車を取り付け、
前記建具本体に上ガイド部材と下ガイド部材をそれぞれ取り付け、この上ガイド部材に沿って前記上戸車を移動自在に支承すると共に、下ガイド部材に沿って前記下戸車を移動自在に支承して、前記遮蔽体を閉じ位置と開き位置とに亘って移動可能とし、
前記上ガイド部材と下ガイド部材の少なくとも一方は、弾性体によって戸車に押しつけられた可動レールを有し、少なくとも他方は、戸車の上下を支承する固定レールと外れ防止用レールを有することを特徴とする建具体。
【請求項２】
上框、下框、第１縦框、第２縦框、縦中骨で第１開口枠部と第２開口枠部を有した建具本体とし、その第１開口枠部にパネルを取り付け、前記第２開口枠部の面外方向一側寄りに板状の覆体を取り付けて縦中骨との間に換気用開口部を形成し、
前記第２開口枠部の面外方向他側寄りに板状の遮蔽体を、縦中骨に接することで換気用開口部を閉じる閉じ位置と、該遮蔽体を縦中骨から離隔することで換気用開口部を開放する開き位置とに亘って面内方向に移動可能に取り付け、
前記遮蔽体の上部寄りに複数の上戸車を取り付けると共に、下部寄りに複数の下戸車を取り付け、
前記建具本体に上ガイド部材と下ガイド部材をそれぞれ取り付け、この上ガイド部材に沿って前記上戸車を移動自在に支承すると共に、下ガイド部材に沿って前記下戸車を移動自在に支承して、前記遮蔽体を閉じ位置と開き位置とに亘って移動可能とし、
前記上ガイド部材は、上戸車の上下を支承する固定レールと外れ防止用レールを有し、その外れ防止用レールを弾性体で上戸車に押しつけたものとし、
前記下ガイド部材は、下戸車の上下を支承する外れ防止用レールと固定レールを有し、その外れ防止用レールを弾性体で下戸車に押しつけたものとしたことを特徴とする建具体。
【請求項３】
前記覆体、遮蔽体は建具本体の見込み幅内に位置して建具本体の面外方向一側面、他側面から突出しないようにした請求項１又は２記載の建具体。
【請求項４】
前記遮蔽体の面外方向他側面に上戸車、下戸車を取り付け、
前記上ガイド部材を、前記上戸車よりも面外方向他側に位置するように取り付け、
前記下ガイド部材を、前記下戸車よりも面外方向他側に位置するように取り付けた請求項１〜３いずれか１項に記載の建具体。
【請求項５】
前記上ガイド部材は上網戸取付部を有し、この上網戸取付部は上戸車よりも下方に位置し、かつ上戸車と面外方向にほぼ同一位置とし、
前記下ガイド部材は下網戸取付部を有し、この下網戸取付部は下戸車よりも上方に位置し、かつ下戸車と面外方向にほぼ同一位置とし、
前記上網戸取付部と下網戸取付部とに亘って網戸を取り付け、この網戸は前記換気用開口部と対向している請求項１〜４いずれか１項に記載の建具体。
【請求項６】
枠体に、複数の障子を面内方向に移動自在で、面外方向に位置がずれ、各障子を開き位置としたときに面外方向に重なり合うようにした引戸であって、
前記各障子の最も面内方向側部に位置する障子を、請求項１〜５いずれか１項に記載の建具体とし、この建具体を枠体に固定して固定障子としたことを特徴とする引戸。
【発明の詳細な説明】
【技術分野】
【０００１】
本発明は、引戸の障子、開き戸の障子、引き違い窓の障子、ドアの扉などとして用いる建具体、及びその建具体を備えた引戸に関する。
【背景技術】
【０００２】
従来、冬季の寒さ対策等として玄関まわりを囲む風除室が実用化されている。
前述の風除室は、夏季には日射によって熱だまりとなるので、その熱だまり対策として、出入口に欄間付き引き違い窓を用い、その欄間を開放することで風除室内を換気するようにしているが、外観の意匠を損ねる恐れがある。
これらのことから、障子自体が換気機能を有する引戸、開き戸、引き違い窓や、扉自体が換気機能を有するドアを用いることが考えられる。
例えば、特許文献１に開示されたように、扉本体の中にスライド空間を設け、そのスライド空間を室内外側に開口する開口部を設け、前記スライド空間に小扉をスライド自在に設けることで、その小扉をスライド移動して開口部を開閉することで換気機能を有した扉を備えたドアが知られている。
【先行技術文献】
【特許文献】
【０００３】
【特許文献１】特開２００４−１１３３５号公報
【発明の概要】
【発明が解決しようとする課題】
【０００４】
前述した従来の扉は、扉本体の中に小扉をスライド自在に設けてあるので、扉本体の見込み幅が大きくなってしまう。
しかも、扉本体の内部形状が小扉をスライド自在に支持できる複雑な形状であるから、扉本体が高価で扉全体も高価である。
さらに、扉本体の中に小扉を設ける作業が面倒で、扉組立作業が面倒である。
【０００５】
本発明の目的は、前述した課題を解消した障子、扉などの建具体及びその建具体を用いた引戸とすることである。
【課題を解決するための手段】
【０００６】
本発明の第１の建具体は、框、下框、第１縦框、第２縦框、縦中骨で第１開口枠部と第２開口枠部を有した建具本体とし、その第１開口枠部にパネルを取り付け、前記第２開口枠部の面外方向一側寄りに板状の覆体を取り付けて縦中骨との間に換気用開口部を形成し、
前記第２開口枠部の面外方向他側寄りに板状の遮蔽体を、縦中骨に接することで換気用開口部を閉じる閉じ位置と、該遮蔽体を縦中骨から離隔することで換気用開口部を開放する開き位置とに亘って面内方向に移動可能に取り付け、
前記遮蔽体の上部寄りに複数の上戸車を取り付けると共に、下部寄りに複数の下戸車を取り付け、
前記建具本体に上ガイド部材と下ガイド部材をそれぞれ取り付け、この上ガイド部材に沿って前記上戸車を移動自在に支承すると共に、下ガイド部材に沿って前記下戸車を移動自在に支承して、前記遮蔽体を閉じ位置と開き位置とに亘って移動可能とし、
前記上ガイド部材と下ガイド部材の少なくとも一方は、弾性体によって戸車に押しつけられた可動レールを有し、少なくとも他方は、戸車の上下を支承する固定レールと外れ防止用レールを有することを特徴とする建具体である。
【０００７】
前述のようにした第１の建具体においては、可動レールに外れ防止用レールを設け、この外れ防止用レールと可動レールで戸車の上下を支承するようにできる。
このようにすれば、遮蔽体が移動時に斜めとなることを確実に防止できる。
【０００８】
前述のようにした第１の建具体においては、外れ防止用レールを弾性体で戸車に押しつけるようにすることができる。
このようにしても、遮蔽体が移動時に斜めとなることを確実に防止できる。
【０００９】
本発明の第２の建具体は、上框、下框、第１縦框、第２縦框、縦中骨で第１開口枠部と第２開口枠部を有した建具本体とし、その第１開口枠部にパネルを取り付け、前記第２開口枠部の面外方向一側寄りに板状の覆体を取り付けて縦中骨との間に換気用開口部を形成し、
前記第２開口枠部の面外方向他側寄りに板状の遮蔽体を、縦中骨に接することで換気用開口部を閉じる閉じ位置と、該遮蔽体を縦中骨から離隔することで換気用開口部を開放する開き位置とに亘って面内方向に移動可能に取り付け、
前記遮蔽体の上部寄りに複数の上戸車を取り付けると共に、下部寄りに複数の下戸車を取り付け、
前記建具本体に上ガイド部材と下ガイド部材をそれぞれ取り付け、この上ガイド部材に沿って前記上戸車を移動自在に支承すると共に、下ガイド部材に沿って前記下戸車を移動自在に支承して、前記遮蔽体を閉じ位置と開き位置とに亘って移動可能とし、
前記上ガイド部材は、上戸車の上下を支承する固定レールと外れ防止用レールを有し、その外れ防止用レールを弾性体で上戸車に押しつけたものとし、
前記下ガイド部材は、下戸車の上下を支承する外れ防止用レールと固定レールを有し、その外れ防止用レールを弾性体で下戸車に押しつけたものとしたことを特徴とする建具体である。
【００１０】
本発明の第１又は第２の建具体においては、前記覆体、遮蔽体は建具本体の見込み幅内に位置して建具本体の面外方向一側面、他側面から突出しないようにできる。
このようにすれば、建具体の見込み幅がより小さくできるし、引戸の障子として用いたときに他の障子と干渉しないようにできる。
【００１２】
本発明の第１又は第２の建具体においては、前記遮蔽体の面外方向他側面に上戸車、下戸車を取り付け、
前記上ガイド部材を、前記上戸車よりも面外方向他側に位置するように取り付け、
前記下ガイド部材を、前記下戸車よりも面外方向他側に位置するように取り付けることができる。
このようにすれば、上戸車、下戸車を取り付けた遮蔽体を建具本体内に設けた後に、上ガイド部材、下ガイド部材を建具本体に取り付けできるから、上ガイド部材、下ガイド部材で上戸車、下戸車を支承した状態で、遮蔽体を建具本体に設け、その後に上ガイド部材、下ガイド部材を建具本体に取り付けることができる。
したがって、遮蔽体、上戸車、下戸車、上ガイド部材、下ガイド部材を建具本体に簡単に設けることができるので、建具体の組立作業が簡単である。
【００１３】
本発明の第１又は第２の建具体においては、前記上ガイド部材は上網戸取付部を有し、この上網戸取付部は上戸車よりも下方に位置し、かつ上戸車と面外方向にほぼ同一位置とし、
前記下ガイド部材は下網戸取付部を有し、この下網戸取付部は下戸車よりも上方に位置し、かつ下戸車と面外方向にほぼ同一位置とし、
前記上網戸取付部と下網戸取付部とに亘って網戸を取り付け、この網戸は前記換気用開口部と対向しているようにできる。
このようにすれば、遮蔽体が開き位置のときに、換気用開口部から虫が侵入することを防止できる。
しかも、網戸は上戸車、下戸車と面外方向にほぼ同一位置であるから、この網戸のために建具体の見込み幅が大きくなることがない。
【００１４】
本発明の引戸は、枠体に、複数の障子を面内方向に移動自在で、面外方向に位置がずれ、各障子を開き位置としたときに面外方向に重なり合うようにした引戸であって、
前記各障子の最も面内方向側部に位置する障子を、請求項１〜５いずれか１項に記載の建具体とし、この建具体を枠体に固定して固定障子としたことを特徴とする引戸である。
【発明の効果】
【００１５】
本発明の建具体によれば、遮蔽体を面内方向に移動して開き位置とすれば、換気用開口部を通して換気ができる。
また、遮蔽体を閉じ位置とすれば換気用開口部から雨水等が入り込むことがない。
しかも、建具本体の面外方向一側寄りに板状の覆体を設け、面外方向他端寄りに板状の遮蔽体を取り付けしたので、建具本体の見込み幅を小さくできると共に、建具本体を単純な形状として建具体を安価とすることができる。
さらに、建具本体に覆体と遮蔽体を取り付ける作業はやり易く、建具体の組立作業が簡単である。
【００１６】
また、建具体を面外方向一側方から見たときに、上框、下框、第１・第２縦框、縦中骨、覆体、ガラスが見え、見栄えが良い。
しかも、遮蔽体が移動時に斜めとなることを防止できる。
【００１７】
本発明の引戸によれば、固定された障子（建具体）に換気機能を持たせたもので、引戸としての有効開口を挟めずに換気機能を有する引戸とすることができる。
【図面の簡単な説明】
【００１８】
【図１】本発明の実施の形態を示す引戸の概略外観図である。
【図２】図１の横断面図である。
【図３】図１の縦断面図である。
【図４】第３障子部分の拡大内観図である。
【図５】図４のＡ−Ａ拡大断面図である。
【図６】図４のＢ−Ｂ拡大断面図である。
【図７】図４のＣ−Ｃ拡大断面図である。
【図８】上・下ガイド部材の第２の実施の形態を示す断面図である。
【図９】上・下ガイド部材の第３の実施の形態を示す断面図である。
【図１０】上・下ガイド部材の第４の実施の形態を示す断面図である。
【図１１】上・下ガイド部材の第５の実施の形態を示す断面図である。
【図１２】上・下ガイド部材の第６の実施の形態を示す断面図である。
【図１３】上・下ガイド部材の第７の実施の形態を示す断面図である。
【発明を実施するための形態】
【００１９】
図１は風除室の出入口を示す外観図、図２は横断面図、図３は縦断面図で、枠体１に第１障子２、第２障子３が面内方向（図１の左右方向）に移動自在に設けてあると共に、第３障子４を固定して設け、引戸としてある。
この引戸が図示しない建家の出入口と対向して風除室を構成している。
前記枠体１は上枠５と左右の縦枠６を備えている。
前記第１障子２、第２障子３は、上框７と下框８と左右の縦框９を方形状に連結し、内部にパネル２ａ，３ａが装着してある。
この第１障子２、第２障子３の上框７が前記上枠５に面内方向に移動自在に吊り下げ支持され、吊り下げ式の引戸としてある。この第１・第２障子２，３の吊り下げ支持は従来と同様であるので、説明を省略する。
つまり、第１障子２と第２障子３と第３障子４は面外方向（室内外側方向）に位置がずれ、第１障子２が最も室内側寄りで、第３障子４が最も室外側寄りで、第２障子３が中間に位置し、第１・第２障子２，３を開き位置に移動すると第２障子３が第３障子４の室内側に重なり合い、第２障子３の室内側に第１障子２が重なり合うと共に、第３障子４が枠体１の面内方向側部に位置している。
【００２０】
前記第３障子４が本発明の建具体で、換気機能を有している。
このように、面内方向側部に固定された第３障子４が換気機能を有するので、引戸としての有効開口を挟めずに換気機能を有する引戸とすることができる。
【００２１】
前記第３障子４が本発明の建具体で、この第３障子４は、上框１０、下框１１、面内方向一側の第１縦框１２、面内方向他側の第２縦框１３、上框１０と下框１１の面内方向中間に亘って連結した縦中骨１４を有した障子本体４ａ、つまり本発明の建具本体を備えている。
この障子本体４ａは縦中骨１４を境として面内方向一側寄りに第１開口枠部４ｂ、面内方向他側寄りに第２開口枠部４ｃを有している。
前記第１開口枠部４ｂにはガラス等のパネル１５が取り付けてある。
前記第２開口枠部４ｃの面外方向一側寄り、例えば室外側寄りに板状の覆体１６が取り付けてある。この覆体１６は障子本体４ａの面外方向一側面よりも面外方向一側に突出しない。
この覆体１６の面内方向一側部１６ａは前記縦中骨１４と離隔し、その縦中骨１４と覆体１６の面内方向一側部１６ａとの間に換気用開口部１７を形成している。
この換気用開口部１７の上下は上框１０と下框１１までそれぞれ連続している。
【００２２】
前記第２開口枠部４ｃの面外方向他側寄り、例えば室内側寄りに板状の遮蔽体１８が面内方向に移動可能に取り付けてある。この遮蔽体１８は障子本体４ａの面外方向他側面より面外方向他側に突出しない。
この遮蔽体１８の面内方向の寸法は、前記第２開口枠部４ｃの面内方向の寸法よりも小さく、前記換気用開口部１７の面内方向の寸法よりも大きく、その遮蔽体１８を面内方向の一側方に移動して面内方向一側部１８ａを縦中骨１４に接することで、前記換気用開口部１７を閉じ、その換気用開口部１７を通して室内と室外とに空気が流通しないようにする。
前記遮蔽体１８を面内方向他側方に移動して、その面内方向一側部１８ａを覆体１６の面内方向一側部１６ａと同一位置又は他側寄りとすることで、前記換気用開口部１７が開放し、その換気用開口部１７を通して室内と室外とに空気が流通し、前述した風除室の夏季の熱だまりを防止できる。
要するに、遮蔽体１８は換気用開口部１７を閉じる閉じ位置と、開放する開き位置とに亘って面内方向に移動する。
【００２３】
このようであるから、第３障子４は換気機能を有する。
しかも、覆体１６、遮蔽体１８は板状で面外方向寸法（見込み幅）が小さく、障子本体４ａの面外方向一側寄り、他側寄りに取り付けてあるので第３障子４の面外方向の寸法（見込み幅）を小さくできる。
さらに、覆体１６、遮蔽体１８は障子本体４ａの面外方向一側面、他側面よりも突出せずに面外方向寸法内（見込み幅内）に位置しているので、第３障子４の見込み幅をより小さくできるし、引戸の障子として用いたときに他の障子と干渉することがない。
また、面外方向一側方（室外側）から見たときに、上框１０、下框１１、第１．第２縦框１２，１３、縦中骨１４、覆体１６、パネル１５が見え、全体がスッキリとした見栄え良いものである。
【００２４】
図１に示す第３障子４は枠体１に固定してあるので、上框１０は上枠５と兼用で、第２縦框１３は縦枠６と兼用であるが、第３障子４が可動の場合には上框１０、第２縦框１３を上枠５、縦枠６と別体として設ける。
また、図１に示す第３障子４は組立性などを考慮して補助上框２０、補助下框２１を備え、この補助上框２０、補助下框２１と縦中骨１４、覆体１６を方形状に連結して換気用開口部１７を有したユニット２２としている。
前記補助上框２０を上框１０に固着すると共に、補助下框２１を下框１１に固着し、覆体１６の面内方向他側部１６ｂを縦框１３（縦枠６に取り付けた補助縦枠２３）に固着している。
【００２５】
前述の説明では、覆体１６の面内方向一側部１６ａと縦中骨１４との間に換気用開口部１７を形成したが、覆体１６の面内方向他側部１６ｂと第２縦框１３との間に換気用開口部１７を形成しても良いし、覆体１６を第１開口枠部４ｂに取り付けて縦中骨１４との間に換気用開口部１７を形成したり、第１縦框１２との間に換気用開口部１７を形成したりすることができる。
要するに、障子本体４ａの面内方向一部分の面外方向一側寄りに覆体１６を取り付け、この覆体１６の面内方向側部と連続して換気用開口部１７を形成し、前記障子本体４ａの面内方向一部分の面外方向他側寄りに遮蔽体１８を取り付けるようにすれば良い。
【００２６】
次に第３障子４の各部を図４〜図７に基づいて説明するが、図１〜図３は本発明を理解し易いように概略的に図示してあるので、図４〜図７に示す各部の形状、寸法と相違することがある。
図４に示すように、前記遮蔽体１８の上部と下部には面内方向に離隔して複数、例えば一対の上戸車３０、下戸車３１がそれぞれ取り付けてある。
前記一対の上戸車３０は図５に示すように、遮蔽体１８の面外方向他側面、つまり覆い体１６と対向した面と反対側の裏面１８ｂの上部寄りにブラケット３２で回転自在に取り付けてあり、この上戸車３０は上框１０（補助上框２０）に取り付けた上ガイド部材４０に沿って面内方向に回転移動自在に支承されている。
この上ガイド部材４０は上框１０の遮蔽体１８よりも面外方向他側寄り（覆体１６と反対側）に固着具４１で固着して取り付けてあるので、遮蔽体１８を障子本体４ａ内に設けた状態で上ガイド部材４０を取り付けできる。
【００２７】
前記一対の下戸車３１は図６に示すように、遮蔽体１８の裏面１８ｂの下部寄りにブラケット３３で回転自在に取り付けてあり、この下戸車３１は下框１１（補助下框２１）に取り付けた下ガイド部材５０に沿って面内方向に回転移動自在に支承されている。
この下ガイド部材５０は下框１１の遮蔽体１８よりも面外方向他側寄りに固着具５１で固着して取り付けてあるので、遮蔽体１８を障子本体４ａ内に設けた状態で下ガイド部材５０に取り付けできる。
【００２８】
前記上ガイド部材４０は、図５に示すように、本体４２と、この本体４２に上下動自在に設けた可動レール４３と、この可動レール４３を下方に移動する弾性体、例えば一対の板ばね４４を備え、この板ばね４４で可動レール４３の下面を上戸車３０に押しつけ、加工誤差や取り付け誤差などがあっても可動レール４３が上戸車３０に接するようにしてある。
前記下ガイド部材５０は、図６に示すように、本体５２と、この本体５２に上下に離隔して設けた固定レール５３、外れ防止用レール５４を備え、この固定レール５３の上面に下戸車３１が接すると共に、外れ防止用レール５４に接することで下戸車３１の浮き上がりを規制している。つまり、固定レール５３と外れ防止用レール５４で下戸車３１の上下を支承している。
【００２９】
前記上戸車３０、下戸車３１を上ガイド部材４０、下ガイド部材５０に沿って回転移動して遮蔽体１８を面内方向に移動するときに、遮蔽体１８を平行姿勢を維持しながら移動することは困難で、遮蔽体１８は平行姿勢に対して面内方向に斜めになった斜め姿勢となるのが一般的で、斜めになり過ぎると外れることがある。
特に、この実施の形態は換気用開口部１７の面内方向の開口寸法が小さく、人が出入りできない程度としてあるから、遮蔽体１８の面内方向の寸法が上下方向の寸法に比べて著しく小さいので、前述のように遮蔽体１８は斜めの姿勢になり易い。
【００３０】
しかし、本発明においては、下ガイド部材５０の外れ防止用レール５４で遮蔽体１８の下部の浮き上がりを規制して斜めの姿勢となることを規制すると共に、上ガイド部材４０の可動レール４３を板ばね４４で下方に移動して上戸車３０に押しつけているので、遮蔽体１８が斜めの姿勢となって外れることがない。
【００３１】
しかも、前述の上ガイド部材４０、下ガイド部材５０は上戸車３０、下戸車３１に面内方向一側方から面内方向他側方に向けてスライドして取り付ける必要があり、遮蔽体１８を障子本体４ａに設けた状態で、上ガイド部材４０、下ガイド部材５０を取り付ける作業はやりづらいが、上ガイド部材４０、下ガイド部材５０は前述のように遮蔽体１８を障子本体４ａに設けた状態で上框１０、下框１１に固着して取り付けできるので、遮蔽体１８を障子本体４ａに取り付ける以前に、上ガイド部材４０、下ガイド部材５０を上戸車３０、下戸車３１に取り付け、その状態で遮蔽体１８を障子本体４ａ内に設け、上ガイド部材４０、下ガイド部材５０を上框２０、下框２１に固着して取り付けできる。
したがって、遮蔽体１８、上ガイド部材４０、下ガイド部材５０の取り付け作業が容易で、第３障子４を簡単に組み立てできる。
【００３２】
前記上ガイド部材４０は、本体４２の下部に上網戸取付部４５を有し、この上網戸取付部４５は上戸車３０よりも下方に位置していると共に、上戸車３０と上網戸取付部４５は面外方向にほぼ同一位置である。
例えば、前記本体４２は、上戸車３０が嵌まり合う面外方向一側に開口した横向き凹部４２ａと、この横向き凹部４２ａの上部と連続して設けたレール取付け溝４２ｂと、このレール取付溝４２ｂの上部と連続して設けた上向きの取付片４２ｃと、前記横向き凹部４２ａの下部と連続して設けた下向き凹部４２ｄを有し、その下向き凹部４２ｄが上網戸取付部４５である。
前記可動レール４３は、凹溝４３ａを有した上部４３ｂとレール部４３ｃを有し、その上部４３ｂがレール取付溝４２ｂ内に上下動自在に嵌挿され、その凹溝４３ａにビス４６を螺合して板ばね４４を取り付けてある。
【００３３】
前記下ガイド部材５０は、本体５２の上部に下網戸取付部５５を有し、この下網戸取付部５５は下戸車３１よりも上方に位置していると共に、下戸車３１と下網戸取付部５５は面外方向にほぼ同一位置である。
例えば、前記本体５２は、前記固定レール５３と外れ防止用レール５４で下戸車３１が嵌まり合う面外方向一側に開口した横向き凹部５２ａを形成し、この横向き凹部５２ａの下部と連続して設けた下向きの取付片５２ｂと、前記横向き凹部４２ａの上部と連続して設けた上向き凹部５２ｃを有し、その上向き凹部５２ｃが下網戸取付部５５である。
【００３４】
前記上ガイド部材４０の上網戸取付部４５と下ガイド部材５０の下網戸取付部５５とに亘って網戸６０が取り付けてある。
この網戸６０は図７に示すように、前記換気用開口部１７と面外方向に対向した位置に固定して取り付けてある。
このようであるから、遮蔽体１８を開き位置としたときに換気用開口部１７から虫が侵入することを網戸６０で防止できる。
しかも、網戸６０と上戸車３０、下戸車３１は面外方向にほぼ同一位置であるから、網戸６０を設けたことによって障子本体４ａの見込み幅が大きくなることがない。
【００３５】
前記網戸６０は網戸框組体６１に防虫網６２を張設したもので、その網戸框組体６１の上部、下部が上ガイド部材４０の下向き凹部４２ｄ、下ガイド部材５０の上向き凹部５２ｃにそれぞれ嵌合し、その下向き凹部４２ｄ、上向き凹部５２ｃの底面に亘って縦材６３を設け、この縦材６３を金具６４で固定し、その縦材６３と縦中骨１４との間に網戸框組体６１が取り付けてある。
前記下向き凹部４２ｄの底面と網戸框組体６１の上面は離隔し、網戸框組体６１を下向き凹部４２ｄと上向き凹部５２ｃとに上下けんどん式に嵌め込みできる。
【００３６】
前記補助上框２０は図５に示すように、上框１０（上枠５）の面内方向の内側面１０ａの面外方向一側寄りにビス２０ａで固着して取り付けられると共に、その面外方向他側寄りに取付片２０ｂが下向きに一体に設けてある。
この取付片２０ｂに上ガイド部材４０の取付片４２ｃが接し、面外方向他側方から固着具４１で固着される。
前記補助下框２１は図６に示すように、下框１１の面内方向の内側面１１ａの面外方向他側寄りにビス２１ａで固着して取り付けられ、その面外方向他側寄りに取付片２１ｂが上向きに一体に設けてある。
この取付片２１ｂに下ガイド部材５０の取付片５２ｂが接し、面外方向他側方から固着具５１で固着される。
【００３７】
前記覆体１６は図７に示すように、面内方向に向かう横板１６ｃと、この横板１６ｃの面内方向他側部に設けた面外方向に向かう取付片１６ｄを有し、その取付片１６ｄが補助縦框２３にビス２３ａで固着して取り付けられる。
前記補助縦框２３は第２縦框１３（縦枠６）の面外方向一側寄りにビス２３ｂで固着して取り付けられる。
前記縦中骨１４の上端面と覆体１６の上端面とに亘って補助上框２０が接し、ビスで固着して連結してある。
前記縦中骨１４の下端面と覆体１６の下端面とに亘って補助下框２１が接し、ビスで固着して連結してある。
【００３８】
前記遮蔽体１８は、板状部１８ｃと手掛け部１８ｄを有し、その遮蔽体１８が閉じ位置のときに、その板状部１８ｃが網戸６０と覆体１６との間に入り込むと共に、手掛け部１８ｄが網戸６０よりも面内方向他側方に突出し、その手掛け部１８ｄに手を掛けて開き位置に移動し易いようにしてある。
前記遮蔽体１８の裏面１８ｂには取付片１８ｅが一体に設けてある。この取付片１８ｅにブラケット３２，３３をビス３４で固着して上戸車３０、下戸車３１を取り付けてある。これによって、ビス３４は遮蔽体１８の表面に突出しないから、そのビス３４の螺合部分から雨水等が浸入しない。
【００３９】
前記縦中骨１４は、その面内方向一側部にパネル取付凹部１４ａを有し、パネル１５が取り付けられる。
前記縦中骨１４の面内方向他側部は、突片１４ｂ、遮蔽体当接面１４ｃ、網戸当接面１４ｄで階段形状である。
前記突片１４ｂと前記覆体１６の面内方向一側寄りにモヘア６３が装着され、遮蔽体１８との間を防虫、防音するようにしてある。
前記遮蔽体当接面１４ｃにはシール材６４が装着され、遮蔽体１８と縦中骨１４との間を水密している。
【００４０】
次に、第３障子４の組立て作業を説明する。
枠体１の上枠５に第１縦框１２を連結すると共に、この第１縦框１２と枠体１の縦枠６の補助縦枠２３とに亘って下框１１を連結し、枠体１の面内方向他側部に障子本体４ａを形成する。縦中骨１４は備えていない。
前記縦中骨１４と覆体１６と補助上框２０と補助下框２１を連結して換気用開口部１７を有したユニット２２を組み立てる。
このユニット２２を前述の障子本体４ａ内にセットし、補助上框２０を上枠５に固着すると共に、補助下枠２１を下框１１に固着し、覆体１６を補助縦枠２３に固着して取り付ける。
【００４１】
前記遮蔽体１８の裏面１８ｂの上部寄り、下部寄りにブラケット３２，３３を固着して上戸車３０、下戸車３１をそれぞれ取り付け、その上戸車３０に上ガイド部材４０を面内方向からスライドして取り付けると共に、下戸車３１に下ガイド部材５０を面内方向からスライドして取り付ける。
前述のように、上戸車３０、下戸車３１、上ガイド部材４０、下ガイド部材５０を取り付けた遮蔽体１８を、前記障子本体４ａの第２開口枠部４ｃに面外方向他側（室内側）から挿入し、上ガイド部材４０、下ガイド部材５０を補助上枠２０、補助下框２１にそれぞれ固着し、遮蔽体１８を面内方向に移動可能に支承する。
【００４２】
前記上ガイド部材４０の下向き凹部４２ｄと下ガイド部材５０の上向き凹部５２ｃとに亘って縦材６３を取り付け、その縦材６３と縦中骨１４との間において網戸６０を前記下向き凹部４２ｄと上向き凹部５２ｃとに上下けんどん式に嵌め込み、網戸６０を取り付ける。
最後に第１開口枠部４ｂにパネル１５を装着して第３障子４とする。
【００４３】
次に、上ガイド部材４０、下ガイド部材５０の他の実施の形態を説明する。
図８に示すように、上ガイド部材４０の可動レール４３に外れ防止用レール４７を一体に設け、この外れ防止用レール４７の上面を上戸車３０に接することで、可動レール４３と外れ防止用レール４７で上戸車３０の上下を支承するようにする。
【００４４】
図９に示すように、下ガイド部材５０の外れ防止用レール５４を本体５２とは別体とし、その本体５２に上下方向に移動自在に取り付けると共に、弾性体、例えば板ばね５６で下方に移動付勢して外れ防止用レール５４の下面を下戸車３１に押しつけるようにする。
【００４５】
図１０に示すように、上ガイド部材４０を固定レール４８と外れ防止用レール４７で上戸車３０の上下を支承して浮き上がりを防止するものとする。
前記下ガイド部材５０は、本体５２に可動レール５７を上下移動自在に設け、この可動レール５７を弾性体、例えば板ばね５６で下方に移動し、その可動レール５７の下面を下戸車３１に押しつける。
【００４６】
図１１に示すように、下ガイド部材５０は、その可動レール５７に外れ防止用レール５４を一体に設け、この外れ防止用レール５４の上面を下戸車３１に接し、可動レール５７と外れ防止用レール５４で下戸車３１の上下を支承するようにする。
【００４７】
図１２に示すように、上ガイド部材４０の外れ防止用レール４７を本体４２と別体とし、本体４２に上下移動自在に設けると共に、弾性体、例えば板ばね４４で下方に移動して上戸車３０に押しつける。
【００４８】
以上のことを要約すると、上ガイド部材４０と下ガイド部材５０の少なくとも一方は、可動レールを有し、その可動レールを弾性体で戸車に押しつけた構成で、上ガイド部材４０と下ガイド部材の少なくとも他方は、固定レールと外れ防止用レールで戸車の上下を支承する構成である。
【００４９】
前記上ガイド部材４０、下ガイド部材５０は図１３に示すようにしても良い。
前記上ガイド部材４０、下ガイド部材５０は、固定レール４８，５３と外れ止め用レール４７，５４をそれぞれ有する。
前記上ガイド部材４０の固定レール４８は、その下面が上戸車３０に接すると共に、外れ止め用レール４７は本体４２に上下移動自在に取り付けられ、弾性体、例えば板ばね４４で上方に移動し、その上面を上戸車３０に押しつけるようにする。
前記下ガイド部材５０の固定レール５３は、その上面が下戸車３１に接すると共に、外れ止め用レール５４は本体５２に上下移動自在に取り付けられ、弾性体、例えば板ばね５６で下方に移動し、その下面を下戸車３１に押しつけるようにしてある。
【００５０】
前述の説明では、本発明の建具体を引戸の障子としたが、これに限ることはなく、片引戸の障子、開き戸の障子、引き違い窓の障子、ドアの扉などとして用いることができることは勿論である。
【符号の説明】
【００５１】
４…第３障子（建具体）、４ａ…障子本体（建具本体）、４ｂ…第１開口の枠部、４ｃ…第２開口枠部、１０…上框、１１…下框、１２…第１縦框、１３…第２縦框、１４…縦中骨、１５…パネル、１６…覆体、１７…換気用開口部、１８…遮蔽体、３０…上戸車、３１…下戸車、４０…上ガイド部材、５０…下ガイド部材、６０…網戸。
【図１】
0005408668.tif 000002
【図２】
0005408668.tif 000003
【図３】
0005408668.tif 000004
【図４】
0005408668.tif 000005
【図５】
0005408668.tif 000006
【図６】
0005408668.tif 000007
【図７】
0005408668.tif 000008
【図８】
0005408668.tif 000009
【図９】
0005408668.tif 000010
【図１０】
0005408668.tif 000011
【図１１】
0005408668.tif 000012
【図１２】
0005408668.tif 000013
【図１３】
0005408668.tif 000014